(57)【要約】      （修正有）【課題】インタラクションができ、さらに他人に斬新的な印象が与えられる拡張現実プラットフォームシステムを提供する。【解決手段】ユーザーによって画像データが画像認識データベースＤＢ１にアップロードされ、またはユーザーアカウントに対応する画像データが画像認識データベースＤＢ１に自動的に生成されて、ユーザーアカウントに対応するデジタルコンテンツがユーザーに画像認識データベースＤＢ１から選択させる画像生成プラットフォームモジュール１と、ターゲット画像を取得するカメラモジュール２と、ターゲット画像が画像データに対応するかどうかを認識する画像認識モジュール３と、ターゲット画像が画像認識モジュール３によって画像データに対応すると判断された場合、画像データに対応するデジタルコンテンツやユーザーアカウント情報をスクリーンに表示させるプレゼンテーションモジュール４を含む。【選択図】図２
0003200605.tif 000002
【実用新案登録請求の範囲】
【請求項１】
モバイルデバイスに使用される拡張現実プラットフォームシステムであって、
実体オブジェのユーザーにユーザーアカウントを画像認識データベースに登録させる登録機構と、ユーザーによって画像データが画像認識データベースにアップロードされ、または前記ユーザーアカウントに対応する画像データが前記画像認識データベースに自動的に生成されて、前記ユーザーアカウントに対応するデジタルコンテンツがユーザーに前記画像認識データベースから選択される認識画像生成機構と、デジタルコンテンツがユーザーによって編集されて前記画像認識データベースに保存される内容編集機構と、テンプレート適用機構を備える画像生成プラットフォームモジュールと、
前記モバイルデバイスに設置され、ターゲット画像を取得するカメラモジュールと、
前記モバイルデバイスに設置され、かつインターネットを通じて前記認識画像データベースに接続されて、前記ターゲット画像が前記画像認識データベースにおける前記画像データに対応するかどうかを認識する画像認識モジュールと、
前記モバイルデバイスに設置され、かつインターネットを通じて前記認識画像データベースに接続されて、前記ターゲット画像が画像認識モジュールによって前記画像データに対応すると判断された場合、前記画像データに対応するデジタルコンテンツを前記モバイルデバイスのスクリーンに表示させるプレゼンテーションモジュールと、
を含むことを特徴とする拡張現実プラットフォームシステム。
【請求項２】
前記プレゼンテーションモジュールが前記デジタルコンテンツと関連したテンプレートを選択するテンプレート選択件を備えることを特徴とする請求項１に記載の拡張現実プラットフォームシステム。
【請求項３】
前記拡張現実にデジタルコンテンツを適用させることで、前記プレゼンテーションモジュールを前記モバイルデバイスの入力操作に基いて前記デジタルコンテンツに対応するデジタルコンテンツ処理を前記スクリーンに表示させるデジタルコンテンツ選択件をさらに備えることを特徴とする請求項１に記載の拡張現実プラットフォームシステム。
【請求項４】
前記入力操作システムがタッチ操作、音声操作、ハンドジェスチャー操作、画像認識操作、シェイク操作からなる群から一つまたは複数から選択されることを特徴とする請求項３に記載の拡張現実プラットフォームシステム。
【請求項５】
前記モバイルデバイスに設置されかつ前記プレゼンテーションモジュールに連接し、前記プレゼンテーションモジュールの操作処理に基いて前記モバイルデバイスに対応した処理出力を実行させる処理出力モジュールをさらに備えることを特徴とする請求項１に記載の拡張現実プラットフォームシステム。
【請求項６】
前記画像認識モジュールがバーコード認識機構、ＱＲコード(登録商標)認識機構、ＲＦＩＤ認識機構、及びＮＦＣ認識機構からなる群から一つまたは複数を備えることを特徴とする請求項１に記載の拡張現実プラットフォームシステム。
【請求項７】
複数の画像の連動関係に基いて対応するインタラクティブ処理を実行するインタラクティブモジュールをさらに備えることを特徴とする請求項１に記載の拡張現実プラットフォームシステム。
【請求項８】
複数の前記ユーザーアカウントの間でフレンド登録インタラクティブ処理、チャットインタラクティブ処理、及びゲームインタラクティブ処理からなる群から一つまたは複数のフレンドインタラクティブ処理を実行させるアカウントインタラクティブモジュールをさらに備えることを特徴とする請求項１に記載の拡張現実プラットフォームシステム。
【請求項９】
前記認識画像をダウンロードさせる認識画像ダウンロードモジュールをさらに備えることを特徴とする請求項１に記載の拡張現実プラットフォームシステム。
【請求項１０】
画像認識モジュールに認識されたターゲット画像の前記画像データに対応した前記ユーザーアカウントが前記登録機構によって提供したオープンデータを取得して統合させるように、前記インターネットを通じて前記画像認識モジュール及び前記登録機構と接続する統合モジュールをさらに備えることを特徴とする請求項１に記載の拡張現実プラットフォームシステム。
【考案の詳細な説明】
【技術分野】
【０００１】
本考案はインタラクションができる拡張現実プラットフォームシステムに関する。
【背景技術】
【０００２】
ビジネス上の連絡、お祝い、また商品販売をする時によく簡単に相手に届くように伝えたい情報を名刺やカード、そしてダイレクトメール（Ｄｉｒｅｃｔ  Ｍａｉｌ、ＤＭ)に印刷することがある。しかし、携行や郵送のそれぞれの都合により、これら名刺、カードやＤＭのサイズは通常一定の範囲に限られ、載せられる画像や文字などの情報もそれ故に限られる。そして、印刷品が印刷完了した後、内容を修正するためには新しいものを再度印刷しなければならず、元の印刷品も破棄しなければならない。なお、これらの名刺、カードやＤＭでは画像や文字のデザインだけが変わっても、斬新的な印象を与えるのは難しいと考えられる。
【考案の概要】
【０００３】
本考案の目的として、従来の技術を改善し、内容を修正や補足することができ、インタラクションもでき、そして他人に斬新的な印象を与えられるような拡張現実プラットフォームシステムを提供する。
【０００４】
本考案は従来の技術問題を解決する技術手段として、モバイルデバイスに使用される拡張現実プラットフォームシステムであって、
実体オブジェのユーザーにユーザーアカウントを画像認識データベースに登録させる登録機構と、ユーザーによって画像データが画像認識データベースにアップロードされ、または前記ユーザーアカウントに対応する画像データが前記画像認識データベースに自動的に生成されて、前記ユーザーアカウントに対応するデジタルコンテンツがユーザーに前記画像認識データベースから選択される認識画像生成機構と、デジタルコンテンツがユーザーによって編集されて前記画像認識データベースに保存される内容編集機構と、テンプレート適用機構を備える画像生成プラットフォームモジュールと、
前記モバイルデバイスに設置され、ターゲット画像を取得するカメラモジュールと、
前記モバイルデバイスに設置され、かつインターネットを通じて前記認識画像データベースに接続されて、前記ターゲット画像が前記画像認識データベースにおける前記画像データに対応するかどうかを認識する画像認識モジュールと、
前記モバイルデバイスに設置され、かつインターネットを通じて前記認識画像データベースに接続されて、前記ターゲット画像が画像認識モジュールによって前記画像データに対応すると判断された場合、前記画像データに対応するデジタルコンテンツを前記モバイルデバイスのスクリーンに表示させるプレゼンテーションモジュールと、
を含むことを特徴とする拡張現実プラットフォームシステムを提供する。
【０００５】
本考案の一つの実施形態では前記プレゼンテーションモジュールが前記デジタルコンテンツと関連したテンプレートを選択するテンプレート選択件を備えることを特徴とする拡張現実プラットフォームシステムである。
【０００６】
本考案の一つの実施形態では前記拡張現実にデジタルコンテンツを適用させることで、前記プレゼンテーションモジュールを前記モバイルデバイスの入力操作に基いて前記デジタルコンテンツに対応するデジタルコンテンツ処理を前記スクリーンに表示させるデジタルコンテンツ選択件をさらに備えることを特徴とする拡張現実プラットフォームシステムである。
【０００７】
本考案の一つの実施形態では前記入力操作システムがタッチ操作、音声操作、ハンドジェスチャー操作、画像認識操作、シェイク操作からなる群から一つまたは複数から選択されることを特徴とする拡張現実プラットフォームシステムである。
【０００８】
本考案の一つの実施形態では前記モバイルデバイスに設置されかつ前記プレゼンテーションモジュールに連接し、前記プレゼンテーションモジュールの操作処理に基いて前記モバイルデバイスに対応した処理出力を実行させる処理出力モジュールをさらに備えることを特徴とする拡張現実プラットフォームシステムである。
【０００９】
本考案の一つの実施形態では前前記画像認識モジュールがバーコード認識機構、ＱＲコード(登録商標)認識機構、ＲＦＩＤ認識機構、及びＮＦＣ認識機構からなる群から一つまたは複数を備えることを特徴とする拡張現実プラットフォームシステムである。
【００１０】
本考案の一つの実施形態では複数の画像の連動関係に基いて対応するインタラクティブ処理を実行するインタラクティブモジュールをさらに備えることを特徴とする拡張現実プラットフォームシステムである。
【００１１】
本考案の一つの実施形態では複数の前記ユーザーアカウントの間でフレンド登録インタラクティブ処理、チャットインタラクティブ処理、及びゲームインタラクティブ処理からなる群から一つまたは複数のフレンドインタラクティブ処理を実行させるアカウントインタラクティブモジュールをさらに備えることを特徴とする拡張現実プラットフォームシステムである。
【００１２】
本考案の一つの実施形態では前記認識画像をダウンロードさせる認識画像ダウンロードモジュールをさらに備えることを特徴とする拡張現実プラットフォームシステムである。
【００１３】
本考案の一つの実施形態では画像認識モジュールに認識されたターゲット画像の前記画像データに対応した前記ユーザーアカウントが前記登録機構によって提供したオープンデータを取得して統合させるように、前記インターネットを通じて前記画像認識モジュールと前記登録機構と接続する統合モジュールをさらに備えることを特徴とする拡張現実プラットフォームシステムである。
【図面の簡単な説明】
【００１４】
【図１】本考案の一つの実施形態の拡張現実プラットフォームシステムの構成を示す図である。
【図２】本考案の前記実施形態の拡張現実プラットフォームシステムを示すブロック図である。
【図３】本考案の実施形態の拡張現実プラットフォームシステムを実行する場合の名刺生成のフロー図である。
【図４Ａ】本考案の前記実施形態の拡張現実プラットフォームシステムの名刺に基く認識画像の生成を示す図である。
【図４Ｂ】本考案の前記実施形態の拡張現実プラットフォームシステムの名刺に基く拡張現実のキャラクターの選択を示す図である。
【図４Ｃ】本考案の前記実施形態の拡張現実プラットフォームシステムの名刺情報の編集を示す図である。
【図５】本考案の前記実施形態の拡張現実プラットフォームシステムの拡張名刺プレゼンテーションを示す図である。
【図６Ａ】本考案の前記実施形態の拡張現実プラットフォームシステムのもう一つの名刺拡張名刺プレゼンテーションを示す図である。
【図６Ｂ】本考案の前記実施形態の拡張現実システムのもう一つの名刺拡張名刺プレゼンテーションを示す図である。
【図７】本考案の前記実施形態の拡張現実プラットフォームシステムの連絡先名刺の統合を示す図である。
【００１５】
以下の実施形態及び添付した図面により、本考案で採用された具体実施形態をさらに説明する。
【考案を実施するための形態】
【００１６】
図１から図６Ｂを参照すると、本考案の拡張現実プラットフォームシステム１００は登録人端末Ｄ１、サーバー端末Ｄ２及びモバイルデバイスＤ３に使われて、登録人端末Ｄ１と、サーバー端末Ｄ２とモバイルデバイスＤ３とはインターネットＮを通じて互いに接続される。図１が示すように、登録人端末Ｄ１が実体オブジェＥのユーザーＵ１に使用され、モバイルデバイスＤ３は実体オブジェＥの受信者Ｕ２に使用される。モバイルデバイスＤ３は本実施形態においてはスマートフォンであるが、スマートグラス、スマートウォッチ、スマートバングル、タブレットなど携行式電子デバイスであっても良い。具体的に言うと、実体オブジェＥは名刺、カード、ＤＭまたは他の印刷品などである。
【００１７】
拡張現実プラットフォームシステム１００は画像生成プラットフォームモジュール１、カメラモジュール２、映像認識モジュール３及びプレゼンテーションモジュール４を含む。
【００１８】
画像生成プラットフォームモジュール１はサーバー端末Ｄ２に設置されて、かつ登録機構１１、認識画像生成機構１２、テンプレート適用機構１３及びデジタルコンテンツ編集機構１４を含む。画像生成プラットフォームモジュール１は登録者端末Ｄ１によりインターネットＮを通じてサーバー端末Ｄ２に接続されて、登録機構１１によってユーザーＵ１にユーザーアカウントをデータベースＰの画像認識データベースＤＢ１に登録させる。
【００１９】
認識画像生成機構１２はユーザーＵ１に実体オブジェＥに印刷された認識画像Ｓ（図４Ａ）を画像認識データベースＤＢ１にアップロードさせ、または認識画像生成機構によってユーザーアカウントに対応する認識画像S（図4A）を自動的画像認識データベースに生成する。
【００２０】
テンプレート適用機構１３はユーザーＵ１にテンプレートデータベースＤＢ２からテンプレートを選択させる。テンプレートはデジタルコンテンツＲ（図４Ｂ）であってユーザーアカウントに対応しても良い。より好ましくは、テンプレート適用機構１３がデジタルコンテンツ選択件１３１を備えることである。デジタルコンテンツ選択件１３１はプレゼンテーションモジュール４がモバイルデバイスＤ３の入力操作に基いてデジタルコンテンツのデジタルコンテンツ処理をモバイルデバイスＤ３のスクリーンＤ３１に表示させるように拡張現実にデジタルコンテンツＲを適用させる。デジタルコンテンツ１３１はさらにデジタルコンテンツＲの詳細条件に対して選択させる。詳細条件はテーマ、テキスト、画像、声音やゲームからなる群れから一つや複数を選んでも良く、これによってユーザーＵ１は所望するデジタルコンテンツＲを自分で作り出す。本実施形態において、拡張現実デジタルコンテンツとはデジタルキャラクターのことである。
【００２１】
カメラモジュール２はターゲット画像Ｅ１をキャプチャーするようにモバイルデバイスＤ３に設置される。実際に応用するとき、カメラモジュール２はユーザーＵ１から受信者Ｕ２に発送する実体オブジェＥのターゲット画像Ｅ１のキャプチャーに使う（図５参照）。
【００２２】
画像認識モジュール３はモバイルデバイスに設置され、かつインターネットＮを通じて認識画像データベースＤＢ1に接続されて、ターゲット画像Ｅ１が画像認識データベースＤＢ１の認識画像に対応するかどうかを認識する。画像認識モジュールは例えばバーコード認識機構、QRコード(登録商標)認識機構、RFID認識機構、及び/またはNFC認識機構を含む。
【００２３】
プレゼンテーションモジュール４はモバイルデバイスＤ３に設置され、かつインターネットＮを通じて認識画像データベースＤＢ１に接続されて、ターゲット画像Ｅ１が画像認識モジュール３によって認識画像Ｓに対応すると判断された場合、認識画像に対応するデジタルコンテンツをモバイルデバイスＤ３のスクリーンＤ３１に表示させる。
【００２４】
本考案の実施形態では、デジタルコンテンツＲが例えばデジタルキャラクターとし、実体オブジェＥが名刺とする。図３を参照すると、拡張現実プラットフォームシステム１００はユーザーＵ１にユーザーアカウントを画像生成プラットフォームモジュール１の登録機構１１に登録させ（工程Ｓ１）、認識画像を新規作成させ（工程Ｓ２）、拡張現実のキャラクターを選択させ(工程Ｓ３)、名刺情報を編集させる（工程Ｓ４）ことによって、受信者Ｕ２に使用されるモバイルデバイス３がターゲット画像をキャプチャーさせて(工程Ｓ５)、ターゲット画像が認識画像に対応するかどうかを認識する（工程Ｓ６）。もし対応していれば、認識画像に対応する拡張現実テンプレートのデジタルキャラクターを表示し（工程Ｓ７）、認識画像に対応する名刺情報を表示する（工程Ｓ８）。
【００２５】
図２から図６Ｂまでを参照すると、本実施形態では、デジタルコンテンツ選択件１３１は処理適用件であり、プレゼンテーション４をモバイルデバイスＤ３の入力操作に基いてデジタルコンテンツＲに対応するデジタルコンテンツ処理を実行させることを前記スクリーンＤ３１に表示させる。例えば、デジタルコンテンツＲがキャラクターである場合、デジタル処理はお辞儀、挨拶、握手などのキャラクターモーションであり、デジタルコンテンツＲがテーマである場合、デジタル処理はアニメーションなどであっても良い。入力操作はタッチ操作、音声操作、ハンドジェスチャー操作、画像認識操作、シェイク操作からなる群から一つまたは複数から選択されることができる。
【００２６】
図２が示すように、より好ましくは、拡張現実プラットフォームシステム１００は認識画像Ｓをダウンロードさせる認識画像ダウンロードモジュール５をさらに備えることによって、認識画像Ｓを他の物に印刷させ、または他の人に転送させる。
【００２７】
図５が示すように、本実施形態では、プレゼンテーションモジュール４がテンプレート選択件をさらに備えて、テンプレートデータベースＤＢ２からテンプレートを選択し認識画像ＳのデジタルコンテンツＲに適用して、プレゼンテーションモジュール４によってモバイルデバイスＤ３のスクリーンＤ３１に表示させる。
【００２８】
本考案の一つの実施形態では実体オブジェＥを名刺とする。図２から図６Ｂを参照すると、拡張現実プラットフォームシステム１００はモバイルデバイスＤ３に設置され、かつテンプレート選択件４１に連接する処理出力モジュールをさらに備える。処理出力モジュールはデジタルコンテンツＲ及び/または名刺情報ＤＡに対する操作処理に基いてモバイルデバイスＤ３を対応した処理出力を実行させる。例えば、ユーザーＵ２が指でスクリーンＤ３１に表示するデジタルコンテンツＲをタップすると、モバイルデバイスＤ３に音声、バイブレーションなどの処理出力を実行させる。またはユーザーＵ２が指でスクリーンＤ３１に表示する名刺情報ＤＡにおける電話番号をタップすると、モバイルデバイスＤ３に電話をかけ、ショートテキストメッセージの発送などの処理出力を実行させる。
【００２９】
本考案は単独の実体オブジェＥのターゲット画像Ｅ１をキャプチャーすることによって前述機能を実現だけでなく、複数の実体オブジェＥのターゲット画像Ｅ１に対しても同じ機能が実現できる。図６Ａが示すように、カメラモジュール２が複数の認識画像Ｓに対応するターゲット画像Ｅ１をキャプチャーした場合、プレゼンテーションモジュール４がスクリーンＤ３１に複数の認識画像Ｓに対応するデジタルコンテンツＲを表示する。なお、拡張現実プラットフォームシステムは複数のターゲット画像Ｅ１の連動関係に基いて対応する名刺インタラクティブ処理を実行するインタラクティブモジュール７をさらに備える。例えば、図６Ｂが示すように、異なるターゲット画像Ｅ１を含む実体名刺ＥまたはデジタルコンテンツＲがスクリーンＤ３１において接触してまたは同時にスクリーンＤ３１に映る場合、ターゲット画像Ｅ１のユーザーアカウントに対応して名刺プラットフォームＰでコミュニティに登録する（例えば、フェイスブック）。
【００３０】
本考案の一つの実施形態では、実体オブジェEを例えば名刺とする。本考案は拡張現実プラットフォーム１００のユーザーアカウントのインタラクティブ機能も提供している。より好ましい実施形態としては、拡張現実プラットフォームシステム１００が複数のユーザーアカウントがお互いにフレンドインタラクティブ処理を行わせるようにアカンウトインタラクティブモジュール８をさらに備えることである。フレンドインタラクティブ処理はフレンド登録、チャットやゲームからなる群から一つまたは複数を選ぶ。これによって、拡張現実プラットフォーム１００においてユーザーアカウントを有するユーザーＵ１またはユーザーＵ２に良好、面白い、かつ賑やかなインタラクティブが提供でき、さらに実体オブジェＥのインタラクティブを達成する。
【００３１】
拡張現実プラットフォームシステム１００のデータベースはユーザーアカウントデータベースをさらに含み、インターネットＮを通じてモバイルデバイスＤ３と接続し、ユーザーＵ２にインタネットＮを通じてクライアント情報をユーザーアカウントデータベースに保存させる。図７が示すように、例えば、ユーザーがモバイルデバイスＤ３のカメラモジュール２で名刺をスキャンして名刺に載せるクライアント情報、例えば名前、職名、会社、地域などをキャプチャーして、クライアント情報をインターネットＮを通じて拡張現実プラットフォームシステム１００のユーザーアカウントデータベースにアップロードする。
【００３２】
より好ましくは、拡張現実プラットフォームシステム１００がインターネットを通じてユーザーアカウントデータベースと接続する統合モジュール９をさらに含むことである。統合モジュール９はユーザーアカウントデータベースの情報を会社、地域や年齢などで統合またはソートを行うようにインターネットＮを通じてユーザーアカウントデータベースのクライアント情報を取得する。
【００３３】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３４】
１００                    拡張現実名刺システム
１                        画像生成プラットフォームモジュール
１１                      登録機構
１２                      認識画像生成機構
１３                      テンプレート適用機構
１３１                    デジタルコンテンツ選択件
１４                      デジタルコンテンツ編集機構
２                        カメラモジュール
３                        映像認識モジュール
４                        プレゼンテーションモジュール
４１                      テンプレート選択件
５                        認識画像ダウンロードモジュール
６                        処理出力モジュール
７                        インタラクティブモジュール
８                        アカンウトインタラクティブモジュール
９                        統合モジュール
Ｄ１                      登録人端末
Ｄ２                      サーバー端末
Ｄ３                      モバイルデバイス
Ｄ３１                    スクリーン
ＤＡ                      名刺データ
ＤＢ１                    画像認識データベース
ＤＢ２                    テンプレートデーター範本資料庫
Ｅ                        実体オブジェ
Ｅ１                      ターゲット画像
Ｍ                        メモリ
Ｎ                        インターネット
Ｐ                        データベース
Ｒ                        デジタルコンテンツ
Ｓ                        認識画像
Ｕ１                      ユーザー
Ｕ２                      受信者
【図１】
0003200605.tif 000003
【図２】
0003200605.tif 000004
【図３】
0003200605.tif 000005
【図４Ａ】
0003200605.tif 000006
【図４Ｂ】
0003200605.tif 000007
【図４Ｃ】
0003200605.tif 000008
【図５】
0003200605.tif 000009
【図６Ａ】
0003200605.tif 000010
【図６Ｂ】
0003200605.tif 000011
【図７】
0003200605.tif 000012